(57)【要約】【課題】高さ調整コンクリートの削減により、工事費の低減と施工の省力化、さらに経済設計を可能にした弾性バラスト軌道用マクラギを提供する。【解決手段】高さ調整コンクリート２の上にマクラギ３をレール設置部３Ａ，３Ａの下端側を高さ調整コンクリート２内に埋め込んで敷設する。レール設置部３Ａ，３Ａの高さ調整コンクリート２内に埋め込まれる部分の側面部に上部テーパＣとその下側に位置する下部テーパＤを複数段階に勾配を変化させて設ける。下部テーパＤは上部テーパＣより急勾配に設ける。下部テーパＤの勾配を１(水平方向)：４(鉛直方向)とする。【選択図】図１
2010285840.tif 000002
【特許請求の範囲】
【請求項１】
高さ調整コンクリートの上に下端側をコンクリート内に埋め込んで敷設される弾性バラスト軌道用マクラギであって、前記高さ調整コンクリート内に埋め込まれる部分の側面部に上部テーパとその下側に位置する下部テーパが複数段階に勾配を変化させて設けられ、かつ前記下部テーパは上部テーパより急勾配に設けられてなることを特徴とする弾性バラスト軌道用マクラギ。
【請求項２】
側面部に下部テーパの下側に位置する鉛直面部が設けられてなることを特徴とする請求項１記載の弾性バラスト軌道用マクラギ。
【請求項３】
下部テーパの勾配は、１：３．５〜１：４．５であることを特徴とする請求項１または２記載の弾性バラスト軌道用マクラギ。
【請求項４】
鉛直面部の高さは、１０ｍｍ〜２０ｍｍであることを特徴とする請求項２または３記載の弾性バラスト軌道用マクラギ。
【発明の詳細な説明】
【技術分野】
【０００１】
本発明は、弾性バラスト軌道に用いられる弾性バラスト軌道用マクラギに関し、主として高さ調整コンクリートの削減による工事費の低減化、施工の省力化、さらに経済設計等を図ることができる。
【背景技術】
【０００２】
一般に、弾性バラスト軌道はスラブ軌道並みのメンテナンスフリー性能を有し、また弾性材と消音バラストの効果によりバラスト軌道並みの低騒音・低振動性能を有する。さらに、スラブ軌道に比べて工事費を大幅に低減でき、またバラスト軌道と比較してライフサイクルコストを大幅に削減できる。
【０００３】
図５(ａ)，(ｂ)は、弾性バラスト軌道の一例を示し、図において、符号１は軌道を支えるコンクリート床版または路盤コンクリート、２はコンクリート床版または路盤コンクリート１の上に打設され、軌道の高さを調整するための高さ調整コンクリートである。
【０００４】
また、符号３は高さ調整コンクリート２の上に所定間隔おきに敷設されたマクラギ、４はマクラギ３，３の上に平行に敷設された一組のレールである。さらに、符号５はレール４，４の外側と内側に充填された消音バラスト、６はマクラギ３の下面部に取り付けられた弾性材、７はマクラギ３の側面部に取り付けられた縁切材である。
【０００５】
このような構成において、マクラギ３は高さ調整コンクリート２内に一定深さ埋め込まれていることにより、線路方向および線路直角方向に移動しないように固定されている。そして、これによりレール４，４の座屈抵抗力を高く保持し、軌道変位を防止し、かつ保守を削減することができる。
【０００６】
このため、弾性バラスト軌道においてマクラギ３を強固に固定するには、高さ調整コンクリート２を厚く打設し、その中にマクラギ３を深く埋め込む必要が求められる。
【先行技術文献】
【特許文献】
【０００７】
【特許文献１】特開平９−３１０３０１号公報
【特許文献２】特開２００４−１５６２８４号公報
【特許文献３】特開２００１−２７１３０１号公報
【特許文献４】特開２００３−２６１９０１号公報
【発明の概要】
【発明が解決しようとする課題】
【０００８】
高さ調整コンクリート２内にマクラギ３を深く埋め込むために高さ調整コンクリート２を厚くすると、高さ調整コンクリート２の使用量が増して工事費が嵩む等の課題があった。
【０００９】
また、高架橋の上に弾性バラスト軌道を敷設するに当っては、高さ調整コンクリート２の重量によって死荷重が相当嵩み、そのため軌道を支える高架橋の設計が不経済になる等の課題もあった。
【００１０】
一方、高さ調整コンクリート２を薄くして、マクラギ３を高さ調整コンクリート２内に浅めに埋め込むと、マクラギ３の特に抜け上がり抵抗力が小さくなり、レール４，４の座屈抵抗力を弱めてしまう恐れがあった。
【００１１】
本発明は、以上の課題を解決するためになされたもので、高さ調整コンクリートの削減により、工事費の低減と施工の省力化、さらに経済設計を可能にした弾性バラスト軌道用マクラギを提供することを目的とするものである。
【課題を解決するための手段】
【００１２】
請求項１記載の弾性バラスト軌道用マクラギは、高さ調整コンクリートの上に下端側をコンクリート内に埋め込んで敷設される弾性バラスト軌道用マクラギであって、前記高さ調整コンクリート内に埋め込まれる部分の側面部に上部テーパとその下側に位置する下部テーパが勾配を複数段階に変化させて設けられ、かつ前記下部テーパは上部テーパより急勾配に設けられてなることを特徴とするものである。
【００１３】
本発明は、マクラギの高さ調整コンクリート内に埋め込まれる部分の側面部に、上部テーパと下部テーパを複数段に勾配を変化させて設け、かつ下部テーパを上部テーパより急勾配とすることにより、高さ調整コンクリートによるマクラギの抜け上がり抵抗力を高め、これによりレールの座屈抵抗力を大きくし、軌道変位を低減し、さらに保守作業を大幅に削減できるようにしたものである。
【００１４】
これまで、マクラギを高さ調整コンクリートの上に敷設する際、マクラギの高さ調整コンクリート内に埋め込まれる部分の深さは、１５０ｍｍ程度必要であったが、本発明によればマクラギの埋め込み深さは８０ｍｍ程度あれば、マクラギに充分な抜け上がり抵抗力を付与することができ、しかも縁切り材の抜け出しも防止することができ、これにより高さ調整コンクリートの低減による工事費の削減、施工の省力化、さらには経済設計を行なうことができる。
【００１５】
この場合の下部テーパの勾配はマクラギの断面寸法にもよるが、４(鉛直方向)：１(水平方向)程度あれば、マクラギに充分な抜け上がり抵抗力を付与することができる。
【００１６】
また、マクラギの断面を不要に大きくすることもなく、従前のマクラギの断面上幅を維持することができ、レール締結機能を損なうことはない。上部テーパはマクラギを型枠成形する際の脱型をスムーズに行なえる程度の勾配を有していればよい。
【００１７】
請求項２記載の弾性バラスト軌道用マクラギは、請求項１記載の弾性バラスト軌道用マクラギにおいて、側面部に下部テーパの下側に位置する鉛直面部が設けられてなることを特徴とするものである。
【００１８】
本発明は、主としてコンクリートの角欠けを防止し、かつ縁切り材貼付時の接着性能を高めて縁切り材を強固に貼着できるようにしたものである。この場合の鉛直面部の高さは１０ｍｍ程度あればよい。
【００１９】
請求項３記載の弾性バラスト軌道用マクラギは、請求項１または２記載の弾性バラスト軌道用マクラギにおいて、下部テーパの勾配は、１：３．５〜１：４．５であることを特徴とするものである。
【００２０】
マクラギの側面部にテーパを設けると、マクラギ断面の下幅が大きくなり、結果的にマクラギの製造コストが嵩むが、下部テーパの勾配を１：４程度とするのが最も経済的である。
【００２１】
請求項４記載の弾性バラスト軌道用マクラギは、請求項２または３記載の弾性バラスト軌道用マクラギにおいて、鉛直面部の高さは、１０ｍｍ〜２０ｍｍであることを特徴とするものである。
【００２２】
下部テーパＤの下側に位置する鉛直面部の高さは、マクラギの断面寸法や下部テーパＤの勾配の大きさにもよるが、一般に１０ｍｍ程度あればコンクリートの角欠けを防止し、かつ縁切り材貼付時の接着性能を高めて縁切り材を強固に貼着することができる。
【発明の効果】
【００２３】
本発明は、マクラギの高さ調整コンクリート内に埋め込まれる部分の側面部に、上部テーパとその下側に位置する下部テーパが複数段に勾配を変化させて設けられ、かつ下部テーパが上部テーパより急勾配に設けられていることにより、高さ調整コンクリートによるマクラギの抜け上がり抵抗力が高められ、これによりレールの座屈抵抗力を大きくし、軌道変位を低減し、さらに保守作業を大幅に削減できる等の効果を有する。
【００２４】
また、高さ調整コンクリートの上にマクラギを敷設する際、マクラギの高さ調整コンクリート内に埋め込まれる部分の深さをこれまでより浅くすることができるので、高さ調整コンクリートの低減による工事費の削減、施工の省力化、さらには経済設計等が図れる。
【図面の簡単な説明】
【００２５】
【図１】弾性バラスト軌道用マクラギの敷設例を示し、(ａ)はマクラギの軸方向の縦断面図、(ｂ)は軸直角方向の縦断面図である。
【図２】弾性バラスト軌道用マクラギの軸直角方向の縦断面図である。
【図３】弾性バラスト軌道用マクラギの軸直角方向の縦断面図である。
【図４】弾性バラスト軌道用マクラギの軸直角方向の、図３におけるイ部縦断面図である。
【図５】従来の弾性バラスト軌道用マクラギの敷設例を示し、(ａ)はマクラギの軸方向の縦断面図、(ｂ)は軸直角方向の縦断面図である。
【発明を実施するための形態】
【００２６】
図１〜図４は、本発明の一実施形態を示し、図において、符号１はコンクリート床版または路盤コンクリートであり、特にコンクリート床版は高架上の軌道に用いられ、プレキャストコンクリートによって成形されている。また、路盤コンクリートは地盤(路床)の上に場所打ちコンクリートによって形成されている。
【００２７】
符号２は軌道の高さを調整するための高さ調整コンクリートであり、コンクリート床版または路盤コンクリート１の上に路盤コンクリートまたは床版コンクリート１の連続する方向に場所打ちコンクリートによって形成されている。  
【００２８】
また、この場合の高さ調整コンクリート２は、後述するマクラギ３のレール設置部３Ａ，３Ａが載置される位置に、路盤コンクリート１の連続する方向に一定幅・一定厚に連続して形成されている。
符号３は、高さ調整コンクリート２の上にその連続する方向に所定間隔おきに敷設されたマクラギであり、コンクリートまたはプレストレストコンクリート等によって成形されている。
【００２９】
マクラギ３は、その長手方向両端のレール設置部３Ａ，３Ａの断面の横幅および高さ(成)がその間の中間部３Ｂの横幅および高さより大きく形成され、下端面は全長に渡って平坦に形成されている。
【００３０】
また、レール設置部３Ａおよび中間部３Ｂの両側面部には上側から下側にかけて上部テーパＣと下部テーパＤが二段階にその勾配を変化させて対称に形成され、下部テーパＤの下端部には鉛直面部Ｅが形成されている。
【００３１】
鉛直面部Ｅは１０ｍｍ程度の高さに形成され、下部テーパＤはほぼ１(水平方向)：４(鉛直方向)の勾配に形成され、そして上部テーパＣは下部テーパＤより緩い勾配に形成されている。
【００３２】
このように形成されたマクラギ３は、高さ調整コンクリート２の上にレール設置部３Ａ，３Ａの下端側を一定深さコンクリート内に埋め込んで敷設され、またレール設置部３Ａ，３Ａの下面部と両側面部(下部テーパＤおよび鉛直面部Ｅ)にそれぞれ弾性材６と縁切り材７が取り付けられている。
【００３３】
符号４は、マクラギ３の上に平行に敷設された一組のレールであり、符号５はレール４，４の外側と内側に充填された消音バラストである。消音バラスト５には砕石や砂利などが用いられている。
【００３４】
このような構成において、特にマクラギ３が高さ調整コンクリート２内に埋設され、高さ調整コンクリート２によって線路方向および線路直角方向に固定されていることで、レール４の座屈抵抗力が高く、軌道変位が少なく、保守を大幅に削減することが可能になっている。
【００３５】
また特に、マクラギ３のレール設置部３Ａ，３Ａとその間の中間部３Ｂの両側面部に二段階に勾配が変化する上部テーパＣと下部テーパＤが形成され、かつ下部テーパ部Ｄの勾配が大きく形成されていることにより、高さ調整コンクリート２によるマクラギ３の抜け上がり抵抗力が大きい。このため、高さ調整コンクリート２内にマクラギ３をこれまでより浅く埋設して敷設することができ、これにより高さ調整コンクリートの削減による経済設計等が図れる。
【００３６】
さらに、下部テーパＤの下側に鉛直面部Ｅが設けられていることによりコンクリートの角欠けを防止し、かつ縁切り材貼付時の接着性能を高めて縁切り材を強固に貼着することができる。この場合の鉛直面部Ｅの高さは、マクラギの断面寸法や下部テーパＤの勾配の大きさにもよるが、一般に１０ｍｍ程度あればよい。
【００３７】
なお、図４は、下部テーパＤの下側に位置する鉛直面部が省略された弾性バラスト軌道用マクラギの一例を示したものであり、断面形状の単純化によるマクラギの製造コストの削減等を図ることができる。
【００３８】
また、上記実施形態では、マクラギが高さ調整コンクリート２内に下端側を埋設して敷設されている例を示したが、砕石や砂利バラスト内に埋設して敷設されても、マクラギに一定の抜け上がり抵抗力を付与することができる。
【００３９】
さらに、砕石や砂利バラストにコンクリートを打設してプレパクトコンクリートとすることによりさらに大きな抜け上がり抵抗力をマクラギに付与することができる。
【産業上の利用可能性】
【００４０】
本発明は、主として高さ調整コンクリートの削減による工事費の低減と経済設計を図ることができる。
【符号の説明】
【００４１】
１  コンクリート床版または路盤コンクリート
２  高さ調整コンクリート
３  マクラギ(弾性バラスト軌道用マクラギ)
３Ａ  レール設置部
３Ｂ  両側レール設置部間の中間部
Ｃ  上部テーパ
Ｄ  下部テーパ
４  レール
５  消音バラスト
６  弾性材
７  縁切り材
【図１】
2010285840.tif 000003
【図２】
2010285840.tif 000004
【図３】
2010285840.tif 000005
【図４】
2010285840.tif 000006
【図５】
2010285840.tif 000007